(57)【要約】【課題】ブロワ１によってダストを吸入する集塵機において、メッシュフィルタに目詰まりが生じないようにする。【解決手段】この発明によれば、メッシュフィルタによって回転羽根４が被覆され、エアが第１エア吸入口１２を通り、集塵室３に吸入され、回転羽根４を通過し、第２エア吸入口１３に吸入される。さらに、エアによってダストが送られ、ダストが第１エア吸入口１２を通り、集塵室３に吸入され、メッシュフィルタに吸引され、捕捉される。さらに、エアによって回転羽根４が回転し、その回転にともない、ダストが吸引作用から解放され、メッシュフィルタから落下する。【選択図】図１
2005103536.tif 000002
【特許請求の範囲】
【請求項１】
ブロワによってダストを吸入する集塵機であって、
集塵室に収容され、回転可能に支持された回転羽根と、
前記回転羽根に設けられ、前記回転羽根を被覆するメッシュフィルタと、
前記回転羽根の軸方向一方側において、前記集塵室に開口する第１エア吸入口と、
前記回転羽根の軸方向他方側において、前記集塵室に開口し、前記ブロワに連通しており、前記回転羽根の所定の角度位置において、前記回転羽根に対向する第２エア吸入口とからなり、
エアが前記第１エア吸入口を通り、前記集塵室に吸入され、前記回転羽根を通過し、第２エア吸入口に吸入され、前記エアによってダストが送られ、前記ダストが前記第１エア吸入口を通り、前記集塵室に吸入され、前記メッシュフィルタに吸引され、捕捉され、前記エアによって前記回転羽根が回転し、その回転にともない、前記ダストが吸引作用から解放され、前記メッシュフィルタから落下するようにしたことを特徴とする集塵機。
【請求項２】
前記第２エア吸入口は前記回転羽根の直径のおよそ１／２の大きさであり、その位置は前記回転羽根の回転中心と外周縁間の位置であることを特徴とする請求項１に記載の集塵機。
【請求項３】
前記回転羽根の軸方向他方側において、前記第２エア吸入口が遮蔽壁に形成され、前記集塵室に開口し、前記回転羽根は前記遮蔽壁に沿って配置されており、前記第２エア吸入口のまわりにおいて、減圧板が前記遮蔽壁に設けられ、前記回転羽根に向かって突出していることを特徴とする請求項１に記載の集塵機。
【請求項４】
前記回転羽根の軸方向他方側において、前記第２エア吸入口が遮蔽壁に形成され、前記集塵室に開口し、前記回転羽根は前記遮蔽壁に沿って配置されており、さらに、前記回転羽根のまわりにおいて、多数の小孔が前記遮蔽壁に形成され、間隔を置いて配列されており、エアが前記各小孔を通り、前記集塵室に吸入され、前記ダストが前記回転羽根と前記遮蔽壁間に侵入しないようにしたことを特徴とする請求項１に記載の集塵機。
【請求項５】
前記小孔のまわりにおいて、補助リングが前記遮蔽壁に設けられ、前記集塵室に突出しており、エアが前記回転羽根と前記補助リング間を通り、前記集塵室に吸入されるようにしたことを特徴とする請求項４に記載の集塵機。
【請求項６】
プラスチックフィルムによってプラスチック袋が製造され、そのカスが生じる製袋機と組み合わされ、前記カスが前記ダストとして吸入されるようにしたことを特徴とする請求項１〜５のいずれかに記載の集塵機。
【発明の詳細な説明】
【技術分野】
【０００１】
この発明は、ブロワによってダストを吸入する集塵機に関するものである。
【背景技術】
【０００２】
一般に、集塵機では、ブロワによってダストが吸入され、それがメッシュフィルタに吸引され、捕捉される（たとえば、特許文献１参照）。この場合、ダストがメッシュフィルタに捕捉され、メッシュフィルタに目詰まりが生じると、それ以上ダストを吸入することができず、その都度それに対処する必要がある。
【０００３】
したがって、この発明は、ブロワによってダストを吸入する集塵機において、メッシュフィルタに目詰まりが生じないようにすることを目的としてなされたものである。
【特許文献１】特開２００２−２６３４２５号公報
【発明の開示】
【０００４】
この発明によれば、回転羽根が集塵室に収容され、回転可能に支持され、メッシュフィルタが回転羽根に設けられ、メッシュフィルタによって回転羽根が被覆される。さらに、回転羽根の軸方向一方側において、第１エア吸入口が集塵室に開口し、回転羽根の軸方向他方側において、第２エア吸入口が集塵室に開口し、ブロワに連通する。さらに、回転羽根の所定の角度位置において、第２エア供給口が回転羽根に対向する。したがって、エアが第１エア吸入口を通り、集塵室に吸入され、回転羽根を通過し、第２エア吸入口に吸入される。さらに、エアによってダストが送られ、ダストが第１エア吸入口を通り、集塵室に吸入され、メッシュフィルタに吸引され、捕捉される。さらに、エアによって回転羽根が回転し、その回転にともない、ダストが吸引作用から解放され、メッシュフィルタから落下する。
【０００５】
好ましい実施例では、第２エア吸入口は回転羽根の直径のおよそ１／２の大きさであり、その位置は回転羽根の回転中心と外周縁間の位置である。
【０００６】
さらに、回転羽根の軸方向他方側において、第２エア吸入口が遮蔽壁に形成され、集塵室に開口し、回転羽根は遮蔽壁に沿って配置される。さらに、第２エア吸入口のまわりにおいて、減圧板が遮蔽壁に設けられ、回転羽根に向かって突出する。
【０００７】
回転羽根のまわりにおいて、多数の小孔が遮蔽壁に形成され、間隔を置いて配列され、エアが各小孔を通り、集塵室に吸入され、ダストは回転羽根と遮蔽壁間に侵入しないようにすることが好ましい。
【０００８】
さらに、小孔のまわりにおいて、補助リングが遮蔽壁に設けられ、集塵室に突出し、エアが回転羽根と補助リング間を通り、集塵室に吸入されるようにすることが好ましい。
【０００９】
さらに、集塵機が製袋機と組み合わされ、製袋機において、プラスチックフィルムによってプラスチック袋が製造され、そのカスが生じる。そして、カスがダストとして吸入される。
【発明を実施するための最良の形態】
【００１０】
以下、この発明の実施例を説明する。
【００１１】
図１はこの発明にかかる集塵機を示す。この集塵機はブロワ１を使用し、ダストを吸入するようにしたもので、ブロワ１はフレーム２に装備されている。さらに、フレーム２によって集塵室３が形成され、回転羽根４が集塵室３に収容され、回転可能に支持されている。この実施例では、フレーム２は一対の遮蔽壁５，６を有し、各遮蔽壁５，６が互いに対面し、集塵室３は各遮蔽壁５，６間に形成されている。遮蔽壁５は外壁であり、垂直方向にのびる。遮蔽壁６は内壁であり、垂直方向にのびる。回転羽根４は円形状のもので、遮蔽壁６に沿って配置されており、水平軸７をもつ。さらに、その水平軸７が遮蔽壁６に支持されており、回転羽根４は水平軸７のまわりを回転する。
【００１２】
回転羽根４の構造については、図２に示すように、金属板によって外周リム８、半径方向スポーク９およびフィン１０が形成され、半径方向スポーク９の回転方向一方側において、フィン１０が半径方向スポーク９から張り出し、一定角度折り曲げられている。さらに、メッシュフィルタ１１が回転羽根４に設けられ、メッシュフィルタ１１によって回転羽根４が被覆されている。この実施例では、回転羽根４の一端面において、メッシュフィルタ１１が外周リム８および半径方向スポーク９に張り付けられ、メッシュフィルタ１１によって全面が被覆されている。
【００１３】
さらに、この集塵機では、回転羽根４の軸方向一方側において、第１エア吸入口１２が遮蔽壁５に形成され、集塵室３に開口し、回転羽根４の軸方向他方側において、第２エア吸入口１３が遮蔽壁６に形成され、集塵室３に開口し、ブロワ１に連通している。そして、前述したように、回転羽根４が遮蔽壁６に沿って配置されているものである。さらに、回転羽根４の所定の角度位置において、第２エア吸入口１３が回転羽根４に対向し、同一の角度位置において、第１エア吸入口１２が回転羽根４および第２エア吸入口１３に対向しており、ダクト１４が第１エア吸入口１２に接続されている。
【００１４】
第２エア吸入口１３は回転羽根４の直径のおよそ１／２の大きさであり、その位置は回転羽根４の回転中心と外周縁間の位置である。この実施例では、第２エア吸入口１３は円形状のものであり、回転羽根４の直径のおよそ１／２の口径である。第１エア吸入口１２も円形状のもので、回転羽根４の直径のおよそ１／２の口径である。さらに、この実施例では、回転羽根４は水平軸７のまわりを回転することは前述したとおりであり、第１エア吸入口１２および第２エア吸入口１３は水平軸７よりも上方に配置されている。
【００１５】
さらに、第２エア吸入口１３のまわりにおいて、減圧板１５が遮蔽壁６に設けられ、集塵室３に配置され、回転羽根４に向かって突出している。減圧板１５はリング状のものである。さらに、回転羽根４の下方において、シュート１６が集塵室３に配置されている。シュート１６はダストを排出するためのもので、ダスト箱１７に向かってのびる。
【００１６】
この他、回転羽根４と遮蔽壁６間において、シールリング１８が回転羽根４の外周縁に沿って配置され、遮蔽壁６に取り付けられている。ブロワ１はエアを排出する排出口１９を有する。
【００１７】
したがって、この集塵機では、ブロワ１が第２エア吸入口１３、集塵室３および第１エア吸入口１２に作用し、エアがダクト１４および第１エア吸入口１２を通り、集塵室３に吸入され、回転羽根４を通過し、第２エア吸入口１３に吸入される。さらに、エアによってダストが送られ、ダストがダクト１４および第１エア吸入口１２を通り、集塵室３に吸入され、メッシュフィルタ１１に吸引され、捕捉される。
【００１８】
さらに、エアが回転羽根４を通過するとき、フィン１０がエアを受け、エアによって回転羽根４が回転する。図２において、回転羽根４は反時計方向に回転する。したがって、ダストの吸着後、回転羽根４の回転にともない、回転羽根４によってダストが送られ、その位置が変化する。そして、回転羽根４の所定の角度位置において、第２エア吸入口１３が回転羽根４に対向し、減圧板１５が回転羽根４に向かって突出していることは前述したとおりであるが、その角度位置から離れると、ダストが吸引作用から解放される。さらに、回転羽根４の回転にともない、遠心力がダストに作用し、遠心力と重力の相乗効果により、ダストがメッシュフィルタ１１から落下する。その後、ダストがシュート１６に案内され、ダスト箱１７に排出される。
【００１９】
したがって、この集塵機の場合、ダストがメッシュフィルタ１１に吸引され、捕捉されるが、その後、回転羽根４の回転にともない、ダストが吸引作用から解放され、メッシュフィルタ１１から落下し、順次排出される。したがって、メッシュフィルタ１１に目詰まりは生じない。この結果、ダストを連続的に吸入し、排出することができる。
【００２０】
さらに、この実施例では、集塵機が製袋機と組み合わされており、製袋機において、プラスチックフィルムによってプラスチック袋が製造され、そのカスが生じる。たとえば、パンチによってプラスチックフィルムが打ち抜かれ、そのカスが生じる。そして、カスがダクト１４および第１エア吸入口１２を通り、ダストとして吸入され、メッシュフィルタ１１に吸引され、捕捉される。その後、カスがメッシュフィルタ１１から落下し、ダスト箱１７に排出される。
【００２１】
図３は他の実施例を示す。この集塵機では、図４に示すように、回転羽根４のまわりにおいて、多数の小孔２０が遮蔽壁６に形成され、間隔を置いて配列され、遮蔽壁６とブロワ１間において、透孔２１がフレーム２に形成されている。透孔２１は外気に連通する。さらに、小孔２０のまわりにおいて、補助リング２２が遮蔽壁６に設けられ、集塵室３に突出している。
【００２２】
したがって、図３の集塵機では、ブロワ１が集塵室３に作用し、これによってダストが吸入されるとき、エアが透孔２１から導入され、各小孔２０を通り、集塵室３に吸入される。したがって、回転羽根４のまわりにおいて、エアによってダストが誘導され、遮断され、ダストは回転羽根４と遮蔽壁６間に侵入しない。この結果、ダストが第２吸入口１３を通り、ブロワ１に吸入されることはなく、好ましい。
【００２３】
さらに、この実施例では、エアが回転羽根４と補助リング２２間を通り、集塵室３に吸入される。したがって、エアによってダストが誘導され、ダストが回転羽根４と補助リング２２間に侵入することはなく、ダストを確実に遮断することができる。
【００２４】
減圧板１５およびシールリング１８については、図５および図６に示すように、減圧板１５にディスク状のものを使用し、これを回転羽根４と同心に配置し、遮蔽壁６に取り付ける。さらに、減圧板１５に透孔を形成し、これを第２吸入口１３に整合させ、シールリング１８を減圧板１５に取り付けてもよい。
【００２５】
図３および図５の実施例において、集塵機が製袋機と組み合わされ、プラスチックフィルムによってプラスチック袋が製造され、そのカスが生じ、これがダストとして吸入されることは図１の実施例と同様である。
【図面の簡単な説明】
【００２６】
【図１】この発明の実施例を示す断面図である。
【図２】図１の回転羽根の正面図である。
【図３】他の実施例を示す断面図である。
【図４】図３の回転羽根の正面図である。
【図５】他の実施例を示す断面図である。
【図６】図５のシールリング、減圧板および第２吸入口の正面図である。
【符号の説明】
【００２７】
１  ブロワ
３  集塵室
４  回転羽根
７  水平軸
１１  メッシュフィルタ
１２  第１エア吸入口
１３  第２エア吸入口
１５  減圧板
【図１】
2005103536.tif 000003
【図２】
2005103536.tif 000004
【図３】
2005103536.tif 000005
【図４】
2005103536.tif 000006
【図５】
2005103536.tif 000007
【図６】
2005103536.tif 000008